(57)【要約】【課題】画像記録体に記録された画像を正確に、かつ画像記録体の表面に傷をつけずに読み取ることを可能にする放射線画像読取装置を提供する。【解決手段】平面形状で放射線画像が記録された画像記録体を円筒形状に曲げて画像読取を行う放射線画像読取装置１００であって、画像記録体が保持されたフィルム状ホルダの両端を支持し、画像読取時に所定方向にスライドする一対の支持部１１０と、フィルム状ホルダを覆い、画像記録体の表面が第１の基準曲面に至るまで画像記録体を弾性的に押圧する被覆部１２０と、固定位置に形成され、スライドする画像記録体の表面を第２の基準曲面に規制する一対の面規制部１３０と、一対の面規制部の中間に設置され、画像記録体に記録された放射線画像を読み取る読取部とを備える。【選択図】図１
2011227310.tif 000002
【特許請求の範囲】
【請求項１】
平面形状で放射線画像が記録された画像記録体を円筒形状に曲げて画像読取を行う放射線画像読取装置であって、
画像記録体が保持されたフィルム状ホルダの両端を支持し、画像読取時に所定方向にスライドする一対の支持部と、
前記フィルム状ホルダを覆い、前記画像記録体の表面が第１の基準曲面に至るまで前記画像記録体を弾性的に押圧する被覆部と、
固定位置に形成され、スライドする前記画像記録体の表面を第２の基準曲面に規制する一対の面規制部と、
前記一対の面規制部の中間に設置され、前記画像記録体に記録された放射線画像を読み取る読取部とを備えることを特徴とする放射線画像読取装置。
【請求項２】
前記一対の面規制部は、スライドする前記画像記録体に当接したとき、前記画像記録体の表面を押し返して第２の基準曲面に規制し、
前記読取部は、前記第２の基準曲面に表面を規制された前記画像記録体から記録された放射線画像を読み取ることを特徴とする請求項１記載の放射線画像読取装置。
【請求項３】
前記被覆部は、前記画像記録体が貼り付けられたフィルム状ホルダの両端を前記一対の支持部に押さえて挟持することを特徴とする請求項１または請求項２記載の放射線画像読取装置。
【請求項４】
前記一対の面規制部は、前記画像記録体より硬度の小さい材料で形成されていることを特徴とする請求項１から請求項３のいずれかに記載の放射線画像読取装置。
【請求項５】
前記一対の面規制部は、前記画像記録体の表面の位置を規制する面の端部に丸面取りが形成されていることを特徴とする請求項１から請求項４のいずれかに記載の放射線画像読取装置。
【請求項６】
前記被覆部が有する弾性材料により、前記第２の基準曲面で前記面規制部に対して前記画像記録体が１×１０３Ｐａ以上１×１０４Ｐａ以下で押圧されるように、前記第１の基準曲面が設定されていることを特徴とする請求項１から請求項５のいずれか記載の放射線画像読取装置。
【請求項７】
前記被覆部は、３次元網目構造を有する有機物の層を弾性材料として有することを特徴とする請求項１から請求項６のいずれか記載の放射線画像読取装置。
【発明の詳細な説明】
【技術分野】
【０００１】
本発明は、平面形状で放射線画像が記録された画像記録体を円筒形状に曲げて画像読取を行う放射線画像読取装置に関する。
【背景技術】
【０００２】
従来、Ｘ線等の放射線画像データの撮影にはＩＰ（Imaging Plate）が用いられる。このようなＩＰから放射線画像を読み取る装置は、読み取りヘッドを回転させる読み取り機構を固定位置に設置し、湾曲させたＩＰを搬送させながら画像データを読み取る方式が取られることが多い。そのような読み取り装置では、ＩＰ自身を調整面に対してベルト駆動機構で押し付け、ベルトの摩擦力でＩＰを搬送する機構が知られている（たとえば、特許文献１参照）。
【０００３】
特許文献１記載の放射線画像読取装置は、円筒面で画像記録体の記録面を支持し、複数のプーリごとに掛けられた搬送ベルトにより、円筒面の軸方向へ画像記録体を搬送し、搬送された画像記録体に記録された放射線照射画像の読み出しと消去を連続して行っている。このとき搬送ベルトは、画像記録体の記録面を円筒面に押し付けている。
【先行技術文献】
【特許文献】
【０００４】
【特許文献１】特開２０１０−０６０７５０号公報
【発明の概要】
【発明が解決しようとする課題】
【０００５】
上記のような搬送機構を有する放射線画像読取装置では、ＩＰ表面を基準面に合せながらＩＰを搬送するため、ＩＰをベルトで強力に押さえつける必要がある。そのため、ＩＰ表面が円筒状の支持面に強く押され、その状態で滑りながら搬送されるため、表面に多くの傷がつくことがある。
【０００６】
そのため、ＩＰの表面には擦り傷が発生し、結果としてＸ線の読み取り画像にも影響を与える。すなわち、ＩＰ表面の傷が深くなると、ＩＰ自身が外部雰囲気の影響を受けＸ線に対する感度特性が変わったり、表面の傷の部分で読み取り用のレーザー光が散乱され、傷起因の画像が見られるようになったりする。そして、観測したい画像の誤認や誤判定に影響するため、使用が難しくなる。
【０００７】
本発明は、このような事情に鑑みてなされたものであり、画像記録体に記録された画像を正確に、かつ画像記録体の表面に傷をつけずに読み取ることを可能にする放射線画像読取装置を提供することを目的とする。
【課題を解決するための手段】
【０００８】
（１）上記の目的を達成するため、本発明に係る放射線画像読取装置は、平面形状で放射線画像が記録された画像記録体を円筒形状に曲げて画像読取を行う放射線画像読取装置であって、画像記録体が保持されたフィルム状ホルダの両端を支持し、画像読取時に所定方向にスライドする一対の支持部と、前記フィルム状ホルダを覆い、前記画像記録体の表面が第１の基準曲面に至るまで前記画像記録体を弾性的に押圧する被覆部と、固定位置に形成され、スライドする前記画像記録体の表面を第２の基準曲面に規制する一対の面規制部と、前記一対の面規制部の中間に設置され、前記画像記録体に記録された放射線画像を読み取る読取部とを備えることを特徴としている。
【０００９】
このように本発明の放射線画像読取装置は、画像記録体の表面を第２の基準曲面に規制し、その位置で画像記録体から放射線画像の読み取りを行う。その結果、精度の高い位置合せにより正確に放射線画像を読み取ることができる。また、本発明の放射線画像読取装置は、画像記録体の表面を第１の基準曲面に至るまで画像記録体を弾性的に押圧し、固定位置に形成された一対の面規制部で第２の基準曲面に規制しているため、画像記録体にかかる圧力を調整でき、表面の損傷を防止することができる。
【００１０】
（２）また、本発明に係る放射線画像読取装置は、前記一対の面規制部は、スライドする前記画像記録体に当接したとき、前記画像記録体の表面を押し返して第２の基準曲面に規制し、前記読取部は、前記第２の基準曲面に表面を規制された前記画像記録体から記録された放射線画像を読み取ることを特徴としている。このように放射線画像読取装置が第２の基準曲面に表面を規制された画像記録体から記録された放射線画像を読み取るため、正確に放射線画像を読み取ることができる。
【００１１】
（３）また、本発明に係る放射線画像読取装置は、前記被覆部は、前記画像記録体が貼り付けられたフィルム状ホルダの両端を前記一対の支持部に押さえて挟持することを特徴としている。このようにフィルム状ホルダの両端を押さえて挟持することで、第１の基準曲面に画像記録体の表面を合せてスライドさせることが容易となる。
【００１２】
（４）また、本発明に係る放射線画像読取装置は、前記一対の面規制部は、前記画像記録体より硬度の小さい材料で形成されていることを特徴としている。これにより、画像記録体が面規制部に当接したときに画像記録体の表面の損傷を防止できる。
【００１３】
（５）また、本発明に係る放射線画像読取装置は、前記一対の面規制部は、前記画像記録体の表面の位置を規制する面の端部に丸面取りが形成されていることを特徴としている。これにより、画像記録体が面規制部に接触する際に、引っ掛かること等なく滑らかに画像記録体の表面を押し返すことができる。
【００１４】
（６）また、本発明に係る放射線画像読取装置は、前記被覆部が有する弾性材料により、前記第２の基準曲面で前記面規制部に対して前記画像記録体が１×１０３Ｐａ以上１×１０４Ｐａ以下で押圧されるように、前記第１の基準曲面が設定されていることを特徴としている。これにより、画像記録体にかかる圧力を調整でき、面規制部に当接したときに生じやすい画像記録体の表面の損傷を防止することができる。
【００１５】
（７）また、本発明に係る放射線画像読取装置は、前記被覆部は、３次元網目構造を有する有機物の層を弾性材料として有することを特徴としている。これにより、弾性力を小さくして画像記録体にかかる圧力を低減し、画像記録体の損傷を防止することができる。
【発明の効果】
【００１６】
本発明によれば、画像記録体に記録された画像を正確に、かつ画像記録体の表面に傷をつけずに読み取ることが可能となる。
【図面の簡単な説明】
【００１７】
【図１】本発明に係る放射線画像読取装置を示す斜視図である。
【図２】本発明に係る放射線画像読取装置および画像記録体を示す正面図である。
【図３】本発明に係る放射線画像読取装置および画像記録体を示す正面図である。
【図４】本発明に係る放射線画像読取装置および画像記録体を示す断面図である。
【図５】固定ユニットを示す断面図である。
【図６】読取部における励起光および輝尽光の経路を示す図である。
【図７】支持部および画像記録体を示す断面図である。
【図８】支持部および画像記録体を示す断面図である。
【図９】画像記録体の位置合せの方法を示す模式図である。
【図１０】本発明に係る放射線画像読取装置の電気的構成を示すブロック図である。
【図１１】本発明に係る放射線画像読取装置の動作の一場面を示す正面図である。
【図１２】本発明に係る放射線画像読取装置の動作の一場面を示す正面図である。
【図１３】比較例を示すグラフである。
【図１４】実施例を示すグラフである。
【図１５】画像記録体とその撮影用ケースを示す正面図である。
【図１６】画像記録体とその撮影用ケースを示す正面図である。
【発明を実施するための形態】
【００１８】
次に、本発明の実施の形態について、図面を参照しながら説明する。説明の理解を容易にするため、各図面において同一の構成要素に対しては同一の参照番号を付し、重複する説明は省略する。
【００１９】
（装置の全体構成）
図１は、放射線画像読取装置を示す斜視図、図２および図３は、放射線画像読取装置および画像記録体を示す正面図である。また、図４は、放射線画像読取装置および画像記録体を示す断面図である。図２および図３に示すように、放射線画像読取装置１００は、平面形状で放射線画像が記録された画像記録体２２０を設置し、円筒形状に曲げて画像読取を行う。放射線画像読取装置１００は、固定ユニット１０５および可動ユニット１０７を備えている。なお、放射線はＸ線や中性子線等であり、画像記録体２２０は、たとえばＩＰ（Imaging Plate）である。
【００２０】
図５は、固定ユニットを示す断面図である。固定ユニット１０５は、ベース部１０９、一対の面規制部１３０、読取部１４０、読取用駆動部１５０を備え、スライドする可動ユニット１０７に対して静止している。一方、可動ユニット１０７は、固定ユニット１０５に対してスライドすることで移動可能であり、一対の支持部１１０、スライド部１１５、被覆部１２０を備えている。
【００２１】
一対の支持部１１０は、読取部１４０の回転ヘッドの回転中心を中心とし、一定の外径を有する円環状に形成されている。円環状の表面には僅かに段差が設けられており、外段面１１１と、内段面１１２が形成されている。一対の支持部１１０の一対の内段面１１２は、画像記録体２２０が保持されたフィルム状ホルダ２１０の送り方向の両端を支持する。そして、モータ等の駆動により画像読取時に所定方向にスライドする。外段面と内段面との詳細は後述する。
【００２２】
被覆部１２０は、画像記録体２２０ごとフィルム状ホルダ２１０を覆い、画像記録体２２０の表面が第１の基準曲面に至るまで画像記録体２２０を弾性的に押圧する。被覆部１２０は、容易に円弧上に湾曲可能な押えばね板１２１と弾性材料の層１２２を有しており、フィルム状ホルダ２１０に当接する弾性材料の層の表面はフィルム等により形成されている。弾性材料の層は、たとえば、スポンジや繊維層のような３次元網目構造を有する有機物の層で形成されていることが好ましい。これにより、弾性力を小さくして画像記録体２２０にかかる圧力を低減し、一対の面規制部１３０に接触する画像記録体２２０の表面の損傷を防止することができる。それ以外にも液体の入った袋を用いて弾性材料としてもよい。
【００２３】
一対の支持部１１０の一対の内段面１１２に両端を支持した、画像記録体２２０が貼り付けられたフィルム状ホルダ２１０を押さえるために、被覆部１２０は一対の支持部１１０の一対の外段面１１１に両端を支持して挟持するよう構成されていることが好ましい。このようにフィルム状ホルダの両端を押さえて挟持することで、第１の基準曲面に画像記録体の表面を合せてスライドさせることが容易となる。また、画像記録体２２０自身をフィルム状ホルダ２１０に貼り付けることにより、フィルム状ホルダ２１０の形状を事前に基準曲面と同等位置にポジショニングさせることができる。
【００２４】
一対の面規制部１３０は、ベース部１０９上の固定位置に形成され、スライドする画像記録体２２０の表面を第２の基準曲面に規制する。したがって、読取部を覆う円環状に形成されていることが好ましい。また、画像記録体２２０の表面を規制する円環の外側面は、読取部の回転ヘッドの回転中心を中心とした一定の外径に形成されていることが好ましい。一対の面規制部１３０は、スライドする画像記録体２２０に当接したとき、画像記録体２２０の表面を押し返して第２の基準曲面に規制する。
【００２５】
また、一対の面規制部１３０は、画像記録体２２０より硬度の小さい材料で形成されていることが好ましい。これにより、画像記録体２２０が面規制部に当接したときに画像記録体２２０の表面の損傷を防止できる。また、一対の面規制部１３０は、画像記録体２２０の表面の位置を規制する面の端部に丸面取りが形成されている。これにより、画像記録体２２０が面規制部１３０に接触する際に、引っ掛かること等なく滑らかに画像記録体２２０の表面を押し返すことができる。
【００２６】
読取部１４０は、一対の面規制部１３０の中間に設置され、画像記録体２２０に記録された放射線画像を読み取る。これにより、一対の面規制部１３０の中間において第２の基準曲面に表面を規制された画像記録体２２０から記録された放射線画像を読み取ることが可能になる。したがって、正確に放射線画像を読み取ることができる。図５に示すように、読取部１４０は、一対の面規制部１３０の中間に設けられている。読取部１４０は、回転ヘッド１４１を有し、読取用駆動部１５０と接続されている。
【００２７】
図５に示すように、読取用駆動部１５０は、読取部１４０を回転させる。読取用駆動部１５０は、定速回転制御がなされることが好ましい。読取部１４０は、読取用駆動部１５０の回転駆動力により回転する。読取部１４０の回転軸は、一対の面規制部１３０の円環面の中心軸と同一である。
【００２８】
（読取部の構成）
図６は、読取部１４０における励起光および輝尽光の経路を示す図である。読取部１４０は、励起光を発生させて、回転しつつ励起光を画像記録体２２０に照射する。読取部１４０は、レーザ光源１４２、コリメートレンズ１４３、選択ミラー１４４、および集光レンズ１４５を有している。
【００２９】
レーザ光源１４２は、レーザ光を発生させる。読取部１４０に組み込むためには半導体を用いた小型のものが好ましい。選択ミラー１４４は、ダイクロイックミラーであり、赤色の励起光は透過させるが青色の輝尽光は反射する性質を有している。集光レンズ１４５は、照射光および輝尽光を通過させる。集光レンズ１４５は、輝尽光を集光し平行光線とする。
【００３０】
検出部１４６は、励起光が画像記録体２２０に照射された結果、発する輝尽光を検出する。励起光が画像記録体に照射されることで放射された輝尽光を検出する検出部１４６は、フィルタ１４７および光電子増倍管１４８（ＰＭＰ）を有している。フィルタ１４７は、赤色光をカットし、青色光を透過する。光電子増倍管１４８は、フィルタ１４７を透過した輝尽光を検出し、輝尽光の強度に応じた電圧を発生させる。なお、光電子増倍管１４８は、検出部１４６の構成の一例であり、必ずしもこれに限られない。
【００３１】
次に、読取部１４０内および画像記録体２２０と読取部１４０との間における励起光および輝尽光の経路を説明する。レーザ光源１４２から照射されたレーザ光は、コリメートレンズ１４３により拡散ビームから平行ビームに変換される。そして、選択ミラー１４４、集光レンズ１４５を透過し、画像記録体２２０に当たる。画像記録体２２０は、励起光を受けると記録されたＸ線強度に応じた強度の輝尽光を発生する。輝尽光は集光レンズ１４５で集光され、平行光線となる。平行光線となった輝尽光は選択ミラー１４４で反射され、フィルタ１４７で赤色光がカットされる。フィルタ１４７を透過した輝尽光は光電子増倍管１４８により検出される。
【００３２】
（第１の基準曲面と第２の基準曲面）
図７および図８は、支持部１１０および画像記録体２２０を示す断面図である。支持部１１０は、外段面１１１および内段面１１２を有している。まず、図７に示すように、フィルム状ホルダ２１０は、内段面１１２に合せて設置される。そして、被覆部１２０の押さえばね板１２１を外段面１１１に合せ、弾性材料の層１２２で弾性力を与えながら被覆部１２０でフィルム状ホルダ２１０を覆う。外段面１１１と内段面１１２の径の差はＬ１である。
【００３３】
このとき、第１の基準曲面は、内段面１１２の位置からさらに画像記録体２２０の厚さ分だけ、中心側に設定されている。そして、第２の基準曲面は、第１の基準曲面からわずかに大きな外径位置に設定されていて、内段面１１２の位置からさらにＬ２の距離だけ、中心側に設定されている。このときの第１の基準曲面と第２の基準曲面の差寸法はαである。αの長さは、１００μｍ程度であるが、誇張して図示するために図７と図８の縦横尺度比は実際とは異ならせている。図８は、画像記録体２２０が面規制部１３０により押し返された状態を示している。このとき、弾性材料の層１２２が縮むことで、画像記録体２２０の表面が第２の基準曲面に規制される。
【００３４】
図９は、画像記録体２２０の位置合せの方法を示す模式図である。図９に示すように、最初に被覆部１２０により支持部１１０に押圧することで画像記録体２２０の表面を第１の基準曲面に合せておいて、画像記録体２２０をスライドさせ、当接する一対の面規制部１３０により第２の基準曲面に合せることで画像読み取りが行われる。
【００３５】
放射線画像読取装置は１００、一対の面規制部１３０により画像記録体２２０の表面を、読取時に第２の基準曲面に規制する結果、精度の高い位置合せにより正確に放射線画像を読み取ることができる。また、放射線画像読取装置１００は、画像記録体２２０の表面を第１の基準曲面に至るまでフィルム状ホルダ２１０および画像記録体２２０を弾性的に押圧し、固定位置に形成された一対の面規制部１３０で第２の基準曲面に規制しているため、画像記録体２２０にかかる圧力を調整でき、わずかな圧力で押し付ける機構を持たせ、表面の損傷を防止することができる。このように１回の調整で面を出すのではなく、２段階で画像記録体２２０の面出しを制御するため、画像記録体２２０の表面の読み取り基準面（第２の基準曲面）における接触摩擦力を小さくさせることができる。
【００３６】
第１の基準曲面は、画像記録体２２０が一対の面規制部１３０により押し返され、第２の基準曲面において被覆部１２０が有する弾性材料により、面規制部１３０に対して１×１０３Ｐａ以上１×１０４Ｐａ以下で押圧されるように、設定されていることが好ましい。このように画像記録体２２０にかかる圧力を調整することで、面規制部１３０に当接したときに生じやすい画像記録体２２０の表面の損傷を防止することができる。
【００３７】
（放射線画像読取装置の電気的構成）
放射線画像読取装置１００は、主に内部の制御回路３１０による電気的な制御を行う。図１０は、放射線画像読取装置１００の電気的構成を示すブロック図である。放射線画像読取装置１００は、制御回路３１０、モータドライバ３３１、ステッピングモータ３３２、サーボモータドライバ３４１、読取用駆動部１５０、読取部１４０、検出部１４６、プリアンプ３２２、Ａ／Ｄ変換部３２１、消去ランプ３４２、電源３４３、ＵＳＢ接続部３４４およびメモリ３４５を備えている。
【００３８】
制御回路３１０は、ユーザの操作に応じて各部を制御する回路である。制御回路３１０は、モータドライバ３３１へモータ駆動のためのパルスを送信する。モータドライバ３３１は、制御回路３１０から発信されるパルスを受けて、ステッピングモータ３３２を同期させて駆動させる。その結果、パルスに応じた速さで可動ユニット１０７をスライドさせ、画像記録体２２０を搬送することができる。このように、制御回路３１０は、モータドライバ３３１を介してステッピングモータの駆動を制御している。その一方で、制御回路３１０はサーボモータドライバ３４１を制御し、読取用駆動部１５０を回転させることで、読取部１４０を回転させる。また、画像記録体２２０からの輝尽光を検出部１４６で検出し、プリアンプ３２２で増幅し、Ａ／Ｄ変換部３２１でデジタル信号に変換する。
【００３９】
プリアンプ３２２は、検出部１４６が検出した信号を増幅する。Ａ／Ｄ変換部３２１は、プリアンプ３２２が増幅したアナログの検出信号をデジタル信号へ変換し、制御回路３１０に信号を伝達する。ＵＳＢ接続部３４４はＰＣ等とのインタフェースとして機能する。メモリ３４５は、高速に画像データを記憶することが可能なメモリである。ＰＣ等とともにメモリ３４５を併用することで、ＵＳＢのデータ転送能力が追いつかない場合でも一時的に画像データを記憶しておくことができる。
【００４０】
（装置の動作）
次に、放射線画像読取装置１００の動作を説明する。図１１および図１２は、本発明に係る放射線画像読取装置の動作の一場面を示す正面図である。まず、画像記録体２２０をフィルム状ホルダ２１０に接着し、フィルム状ホルダ２１０を被覆部１２０で覆い、第１の基準曲面に一致するように保持する。このとき、読み取り面以外の部分としてフィルム状ホルダ２１０を円筒形の支持部１１０の内段面１１２（ガイド）に沿わせて画像記録体２２０を曲げ、画像記録体２２０をフィルム状ホルダ２１０とともに半円形に曲げる。
【００４１】
次に、読取部１４０を駆動して、図１１および図１２に示すように、可動ユニット１０７を一定速度でスライドさせ、画像の読み取りを行う。このとき、一対の面規制部１３０に画像記録体２２０の表面が当接することで押し返され、読取位置において第２の基準曲面に画像記録体２２０の表面が一致している。このようにして、正確に放射線画像を読み取ることができ、かつ、画像記録体２２０の表面に損傷が生じるのを防止できる。
【００４２】
（面位置の位置決め実験）
次に、放射線画像読取装置１００について実験を行った。その際に、（１）ＩＰ表面と読み取りヘッド間の距離が一定であること（±５０μｍ以内）、（２）ＩＰの表面に有意な傷ができないことの２点を目標とした。
【００４３】
まず、基準曲面へのＩＰの表面位置の位置決め実験を行った。上記の通り、通常、放射線画像読取において５０μｍが許容範囲の基準であり、本実験ではこれを目標値としている。一対の面規制部１３０にＩＰの表面が当接しない位置に第１の基準曲面を設定し、第１の基準曲面からの変位量を計測した（比較例）。次に、読取時にＩＰの表面が面規制部１３０に当接する位置に第１の基準曲面を設定し、面規制部１３０が作る第２の基準曲面からの変位量を計測した（実施例）。
【００４４】
図１３は、比較例を示すグラフである。図１３に示すように、各測定位置において変位量の絶対値が５０μｍを超えている。このように、フィルム上ホルダ２１０を曲げて円筒状に押さえ込むと歪が生じ、±０．２ｍｍ程度の凹面凸面の変形が生じた。一方、図１４は、実施例を示すグラフである。図１４に示すように、実施例ではＩＰ面上の変位４１０が見られるものの、各測定位置において変位量の絶対値が５０μｍ以内に収まっている。
【００４５】
（画像記録体の耐久試験）
また、ＩＰの耐久試験を行った。ＩＰには、蓄積性蛍光体をポリエチレンテレフタレートでコーティングした表面を有するものを用いた。また、面規制部１３０には、材料としてデルリン（登録商標）を用いた。被覆部１２０の弾性材料１２２にはポリウレタンのスポンジを用いた。このような放射線画像読取装置１００およびＩＰを用いて、放射線画像読取を２００回行った。このようにして２００回用いられたＩＰの表面には、わずかな摺れ跡があるものの、５μｍ以上の有意な傷はなかった。したがって、ＩＰに蓄積性蛍光体に至る損傷は発見できず、読取画像にもコーティングの損傷による乱反射や蓄積性蛍光体の損傷による画像への影響がないことが確認された。なお、面規制部１３０に用いる材料は、デルリン（登録商標）やテフロン（登録商標）等があるが、硬度の低いデルリン（登録商標）を材料として作成することが望ましい。
【００４６】
（撮影用ケース）
次に、画像記録体２２０を撮影に用いる際の実施形態について説明する。図１５および図１６は、画像記録体２２０とその撮影用ケース５００を示す正面図である。図１５および図１６に示すように、画像記録体２２０を貼り付けたフィルム状ホルダ２１０を撮影用ケース５００に入れて、撮影することが好ましい。
【００４７】
撮影用ケース５００は、フィルム状ホルダ２１０を収納可能なサイズの箱状に形成されており、カバー、後方散乱防止シートを備えている。カバーは、たとえばプラスチック製であり、Ｘ線等の撮影用の放射線を透過する。画像記録体２２０を撮影用ケース５００に挿入する際には、後方散乱防止シートが画像記録体２２０の裏面に位置する向きに挿入する。したがって、露光側と後面側の識別がしやすい構成であることが好ましい。撮影用ケース５００は、スチール等を用いて、強固に形成されていることが好ましい。これにより破損を防止することができる。また、このような撮影用ケース５００を用いることで、画像記録体２２０を平板状にした状態で撮影できる。
【符号の説明】
【００４８】
１００  放射線画像読取装置
１０５  固定ユニット
１０７  可動ユニット
１０９  ベース部
１１０  支持部
１１１  外段面
１１２  内段面
１１５  スライド部
１２０  被覆部
１２１  押えばね板
１２２  弾性材料の層
１３０  面規制部
１４０  読取部
１４１  回転ヘッド
１４２  レーザ光源
１４３  コリメートレンズ
１４４  選択ミラー
１４５  集光レンズ
１４６  検出部
１４７  フィルタ
１４８  光電子増倍管
１５０  読取用駆動部
２１０  フィルム状ホルダ
２２０  画像記録体
３１０  制御回路
３２１  変換部
３２２  プリアンプ
３３１  モータドライバ
３３２  ステッピングモータ
３４１  サーボモータドライバ
３４２  消去ランプ
３４３  電源
３４４  接続部
３４５  メモリ
４１０  ＩＰ面上の変位
５００  撮影用ケース
【図１】
2011227310.tif 000003
【図２】
2011227310.tif 000004
【図３】
2011227310.tif 000005
【図４】
2011227310.tif 000006
【図５】
2011227310.tif 000007
【図６】
2011227310.tif 000008
【図７】
2011227310.tif 000009
【図８】
2011227310.tif 000010
【図９】
2011227310.tif 000011
【図１０】
2011227310.tif 000012
【図１１】
2011227310.tif 000013
【図１２】
2011227310.tif 000014
【図１３】
2011227310.tif 000015
【図１４】
2011227310.tif 000016
【図１５】
2011227310.tif 000017
【図１６】
2011227310.tif 000018